(57)【要約】【課題】省スペースな静脈撮像装置を提供する。【解決手段】静脈撮像装置１０は、撮像部１２とガイド部材１３とを有する。撮像部１２は掌の静脈パターンを撮像する。ガイド部材１３は、撮像部１２の撮像面の周縁部に立設される。ガイド部材１３は、撮像部１２の撮像面から所定の高さの位置に指が接触されることにより、撮像部１２の撮像面に対する掌の位置を誘導する。【選択図】図１
2009189446.tif 000002
【特許請求の範囲】
【請求項１】
掌の静脈パターンを撮像する静脈撮像装置において、
前記静脈パターンを撮像する撮像部と、
前記撮像部の撮像面の周縁部に立設されたガイド部材と、
を有し、
前記ガイド部材は、前記撮像部の撮像面から所定の高さの位置に指が接触されることにより、前記撮像面に対する前記掌の位置を誘導する、
ことを特徴とする静脈撮像装置。
【請求項２】
前記ガイド部材は、前記撮像面からの高さ方向に突起し、かつ、前記撮像面と平行な方向に所定間隔だけ離れて配置された１対の突起部を有しており、当該１対の突起部で挟まれる凹部に前記指が前記撮像部側から挿入されて接触されることで、前記撮像面に対する前記掌の水平方向および垂直方向の位置を誘導する、
ことを特徴とする請求項１記載の静脈撮像装置。
【請求項３】
前記ガイド部材は、板状またはワイヤ状に形成されていることを特徴とする請求項２記載の静脈撮像装置。
【請求項４】
前記撮像部を支持する支持部材を更に有し、
前記ガイド部材は、前記支持部材に対して、挿抜可能に挿設される、または、回動可能に装着されることを特徴とする請求項３記載の静脈撮像装置。
【請求項５】
前記撮像部を支持する支持部材を更に有し、
前記ガイド部材は棒状であって、前記指を接触させるための前記位置を示す印を有しており、前記支持部材に挿抜可能に挿設される、または、回動可能に装着されることを特徴とする請求項１記載の静脈撮像装置。
【発明の詳細な説明】
【技術分野】
【０００１】
本発明は、静脈撮像装置に関し、特に掌の静脈パターンを撮像する静脈撮像装置に関する。
【背景技術】
【０００２】
現在、生体認証技術の発達により、安全かつ正確に個人を特定することが可能となっている。特に、掌や指の静脈による認証方法は、利用のし易さや高い認証率の点から、金融機関のＡＴＭ（Automated Teller Machine）の利用者認証から個人コンピュータへのログインまで強固なセキュリティを保持した本人確認方法として、広く普及している。
【０００３】
ここで、静脈認証では、体内の器官である静脈のパターンを近赤外線を用いて撮像する。そして、撮像した静脈パターンを、事前に登録した静脈パターンと比較する、もしくは撮像した静脈パターンから特徴情報を取り出し・分析して、その特徴情報を用いて比較することで認証を行っている。このため、登録時の静脈パターンもしくは静脈情報と本人確認時に撮像された静脈パターンもしくは静脈情報とが精度良く一致する必要がある。本人確認時に静脈パターンの撮像精度を損なう要因として、撮像時の手の位置の変化が主な要因として挙げられる。例えば、撮像時に手の位置が撮像に適した所定の位置にない場合や、手の位置が固定されずに動いている場合に、正確な静脈パターンの撮像を行うことが困難となる可能性がある。
【０００４】
このように、本人確認時の静脈パターンの撮像を精度良く行うため、撮像対象である指を所定の位置に固定して指の静脈パターンの撮像を行う方法が知られている（例えば、特許文献１，２参照）。
【０００５】
また、掌の静脈パターンを撮像し、特徴情報を分析して本人確認を行う場合には、撮像対象となる手全体を所定の位置に配置して静脈パターンの撮像を行う必要がある。
図１２は、掌の静脈パターンの撮像に利用されている静脈撮像装置の構成例を示す図である。（Ａ）は、静脈撮像装置５０の左側面図を表している。（Ｂ）は、静脈撮像装置５０の上面図を表している。なお、（Ａ）には、静脈撮像装置５０に静脈の撮像のために載置された手５４も示されている。
【０００６】
静脈撮像装置５０は、支持部材５１、撮像部５２およびガイド部材５３を有する。支持部材５１は、撮像部５２およびガイド部材５３を支持する。撮像部５２は、支持部材５１に挿設される。撮像部５２は、手５４の掌の静脈パターンを撮像する。１対のガイド部材５３は、撮像部５２の撮像面に対して立設されている。ガイド部材５３は、１対の手保持部５３ａを有する。手保持部５３ａは、手５４の指と手根部とを載置するためのものである。
【０００７】
このような静脈撮像装置５０によれば、手５４を撮像部５２に対して一定の位置に配置することができるため、撮像部５２に対して使用されるレンズの広角化、オートフォーカス機能およびレンズ収差を補正するための機能が不要となり、低コストで静脈パターンによる本人確認環境を実現することができる。
【特許文献１】特開２００６−９９４９３号公報
【特許文献２】特開２００３−３０６３２号公報
【発明の開示】
【発明が解決しようとする課題】
【０００８】
しかし、上記の静脈撮像装置５０では、１対の手保持部５３ａの間の領域として、手５４を支持するために掌を覆うだけの面積をもつ領域が必要となり、静脈撮像装置５０の設置面積がこの領域の面積によって決定される。そのため、撮像部５２を小型化しても、静脈撮像装置５０を小型化することができないという課題がある。
【０００９】
本発明は、このような点に鑑みてなされたものであり、省スペースな静脈撮像装置を提供することを目的とする。
【課題を解決するための手段】
【００１０】
上記課題を解決するために、掌の静脈パターンを撮像する静脈撮像装置が提供される。この静脈撮像装置は、撮像部とガイド部材とを有する。撮像部は、掌の静脈パターンを撮像する。ガイド部材は、撮像部の撮像面の周縁部に立設される。ガイド部材は、撮像部の撮像面から所定の高さの位置に指が接触されることにより、撮像面に対する掌の位置を誘導する。
【００１１】
このような静脈撮像装置によれば、撮像部によって掌の静脈パターンが撮像される。また、撮像部の撮像面の周縁部に立設されたガイド部材の撮像部の撮像面から所定の高さの位置に指を接触することにより、撮像面に対する掌の位置が誘導される。
【発明の効果】
【００１２】
上記静脈撮像装置によれば、省スペース化を実現することができる。
【発明を実施するための最良の形態】
【００１３】
以下、本発明の実施の形態を図面を参照して詳細に説明する。
［第１の実施の形態］
図１は、第１の実施の形態に係る静脈撮像装置の斜視図である。静脈撮像装置１０は、支持部材１１、撮像部１２およびガイド部材１３を有する。
【００１４】
支持部材１１は、撮像部１２およびガイド部材１３を支持する。
撮像部１２は、支持部材１１に挿抜可能に挿設されて支持される。撮像部１２は、例えば近赤外線の入射を検出する撮像素子からなり、掌の静脈パターンを撮像する。
【００１５】
ガイド部材１３は、撮像される指の位置を案内するための部材であり、板状に形成され、使用時には撮像部１２の撮像面の周縁部に立設される。本実施の形態では例として、ガイド部材１３は、支持部材１１に挿抜可能に挿設されて支持される。ガイド部材１３は、支持部材１１とは反対側の端部に、突起部１３ａおよび指保持部１３ｂを有する。
【００１６】
突起部１３ａは、撮像部１２の撮像面からの高さ方向に突起し、撮像面と平行な方向に所定間隔だけ離れて設けられた１対の突起である。このような突起の高さは、指の水平方向（すなわち突起の並列方向）の位置が固定されるように、例えば１ｃｍとする。
【００１７】
指保持部１３ｂは、１対の突起部１３ａにより挟まれた凹部に対応する。突起部１３ａの間に、ガイド部材１３の撮像部１２側の面から指が挿入されて、その指が指保持部１３ｂに接触されることで、撮像部１２から掌までの距離と掌の水平方向の位置とを静脈パターンの撮像に最適となるように誘導することができる。
【００１８】
また、ガイド部材１３は、支持部材１１に挿設される。ガイド部材１３を立設する際の角度は、指を指保持部１３ｂに挿入した時に、撮像部１２の撮像面の中心に対して掌の中心が真上に配置されるように決定される。
【００１９】
図２は、第１の実施の形態に係る静脈撮像装置の構造を示す図であって、（Ａ）は利用時の正面図、（Ｂ）は（Ａ）のＡＡ断面図である。
ここで、同図の（Ａ）に示すように、撮像部１２と指保持部１３ｂとの間の距離は、撮像部１２の画角や焦点距離によって決定される。このような距離は、例えば、５ｃｍである。また、同図の（Ｂ）は、撮像部１２とガイド部材１３とが、支持部材１１に挿抜可能に挿設されている様子を示している。支持部材１１は、溝１１ａと溝１１ｂを有する。溝１１ａは、ガイド部材１３を挿設するための溝である。溝１１ｂは、撮像部１２を挿設するための溝である。静脈撮像装置１０の収納時には、ガイド部材１３は、溝１１ａから抜いて、支持部材１１とガイド部材１３とを分離し、また、必要に応じて撮像部１２も分離して保管することができる。
【００２０】
図３は、第１の実施の形態に係る支持部材とガイド部材とを分離した様子を示す図である。支持部材１１の溝１１ａに挿設されたガイド部材１３は、図のように溝１１ａから抜くことが可能である。そして、支持部材１１とガイド部材１３とは、分離した状態で保管しておくことができる。また、本人確認に利用する際には、ガイド部材１３を溝１１ａに挿設する。
【００２１】
図４は、第１の実施の形態に係る静脈撮像装置の利用例を示す模式図である。図４には、静脈撮像装置１０に指を載置した状態である手１５も示されている。静脈撮像装置１０は、外部接続コネクタ１４を更に有する。
【００２２】
外部接続コネクタ１４は、端末装置（図示せず）と接続され、静脈撮像装置１０が撮像した静脈パターンが端末装置に送信される。そして、端末装置に導入された静脈パターンの照合ソフトウェアによって、静脈パターンによる本人確認が行われる。もしくは端末装置に導入されたソフトウェア（アルゴリズム）によって特徴情報が分析抽出され、あらかじめ登録されている特徴情報とで本人確認が行われる。外部接続コネクタ１４としては、例えば、ＵＳＢ（Universal Serial Bus）２．０に準拠したコネクタが用いられる。なお、照合するための機能を静脈撮像装置１０が有していても構わない。この場合、例えば、外部接続コネクタ１４によって、端末装置へ本人確認の結果を表す情報のみが送信される。
【００２３】
そして、手１５の中指が指保持部１３ｂに挿入されることで、手１５の掌の水平方向の位置が撮像に適するように誘導される。また、指保持部１３ｂの高さを撮像部１２が静脈パターンを撮像するために最適な高さとすることで、手１５の掌の高さがこの位置に誘導される。
【００２４】
このように、手根部を支持するためのガイド部材を設けないこととし、指を載置するためのガイド部材１３を、撮像部１２とほぼ同程度の設置面積である支持部材１１に挿設するようにしたため、静脈撮像装置１０の設置面積が最小限となり省スペース化を図ることができる。また、ガイド部材１３は挿抜可能としたため、必要に応じて支持部材１１と分離させることができる。このため、ガイド部材１３を横にして保管することができるので、高さ方向のスペースを必要とせず、収納における省スペース化を図ることができる。
【００２５】
なお、上記の説明では、ガイド部材１３を支持部材１１に挿抜可能に挿設することとしたが、回動可能に装着してもよい。この場合、例えば、使用時にはガイド部材１３が撮像面に対して立設状態とされ、非使用時にはガイド部材１３を撮像面と平行となるように撮像面側に倒すようにすることで、非使用時に必要な収納スペースを小さくすることができる。
【００２６】
［第２の実施の形態］
図５は、第２の実施の形態に係る静脈撮像装置の斜視図である。本実施の形態の静脈撮像装置２０では、第１の実施の形態における静脈撮像装置１０のガイド部材１３を、ワイヤによって形成する。静脈撮像装置２０は、支持部材２１、撮像部２２およびガイド部材２３を有する。
【００２７】
支持部材２１は、撮像部２２およびガイド部材２３を支持する。支持部材２１は、１対の溝２１ａを有している。溝２１ａは、ガイド部材１３を収納するための溝であり、撮像部２２を挟んで互いに平行に形成される。貫通孔２１ｂは、ガイド部材２３の一端を貫通させて、ガイド部材２３を支持部材２１に装着させるために設けられている。
【００２８】
撮像部２２は、図１の撮像部１２に対応する。
ガイド部材２３は、ワイヤを折り曲げ加工することで形成され、この例ではその外形が同一平面上に存在するように形成されている。そして、使用時には撮像部２２の撮像面の周縁部に立設される。ガイド部材２３は、支持部材２１に回動可能に装着されて、溝２１ａの縁によって撮像部２２による静脈パターンの撮像に最適な角度に支持される。ガイド部材２３の一端には突起部２３ａおよび指保持部２３ｂが形成され、他端は回動部を構成している。
【００２９】
突起部２３ａは、図１の突起部１３ａに対応する。
指保持部２３ｂは、図１の指保持部１３ｂに対応する。
ガイド部材２３の他端側は、支持部材２１に設けられた１対の貫通孔２１ｂを水平方向に貫通しており、ガイド部材２３は、貫通孔２１ｂを中心として回動可能となっている。
【００３０】
また、ガイド部材２３を立設状態とした時の角度は、指をガイド部材２３に載置した時に、撮像部２２の撮像面中心に対して掌の中心が真上に配置されるように決定される。
図６は、第２の実施の形態に係る静脈撮像装置の構造を示す図であって、（Ａ）は利用時の左側面図、（Ｂ）は収納時の上面図である。ガイド部材２３は、同図の（Ａ）に示すように溝２１ａの縁によって支持される。また、同図の（Ｂ）に示すように、収納時には、ガイド部材２３を静脈撮像装置２０の撮像部２２側に倒して溝２１ａに納めることができる。
【００３１】
ここで、静脈撮像装置２０の利用例に関しては、前述の第１の実施の形態と同様のため、説明を省略する。
このように、手根部を支持するためのガイド部材を設けないこととし、指を載置するためのガイド部材２３を、撮像部２２とほぼ同程度の設置面積である支持部材２１に挿設するようにしたため、静脈撮像装置２０の設置面積が最小限となり省スペース化を図ることができる。また、ガイド部材２３は、回動可能としたため、必要に応じて倒すことが可能である。このため、ガイド部材２３を横に倒して保管することができるので、高さ方向のスペースを必要とせず、収納における省スペース化を図ることができる。
【００３２】
なお、上記の説明において、ガイド部材２３を支持部材２１に回動可能に装着するものとしたが、支持部材２１に挿抜可能に挿設してもよい。このようにすると、支持部材２１とガイド部材２３とを分離し、ガイド部材２３を横にして保管することができるので、高さ方向のスペースを必要とせず、収納における省スペース化を図ることができる。
【００３３】
［第３の実施の形態］
図７は、第３の実施の形態に係る静脈撮像装置の斜視図である。静脈撮像装置３０は、支持部材３１、撮像部３２およびガイド部材３３を有する。
【００３４】
支持部材３１は、撮像部３２およびガイド部材３３を支持する。支持部材３１は、溝３１ａを有している。溝３１ａは、ガイド部材３３を収納するための溝である。
撮像部３２は、図１の撮像部１２に対応する。
【００３５】
ガイド部材３３は、棒状であり、使用時には撮像部３２の撮像面の周縁部に立設される。本実施の形態では、ガイド部材３３は、支持部材３１に回動可能に装着されて、溝３１ａの縁によって撮像部３２による静脈パターンの撮像に最適な角度に支持される。ガイド部材３３は、高さ指示部３３ａを有する。
【００３６】
高さ指示部３３ａは、静脈パターンを撮像するに当たっての、撮像部３２の撮像面からの最適な高さ位置を示す目印である。高さ指示部３３ａは、ユーザーに対して指を接触する場所を誘導する。高さ指示部３３ａに指の一部を接触させることで、撮像部３２から掌までの高さを静脈パターンの撮像に最適となるように誘導することができる。また、静脈撮像装置３０の撮像部３２側から高さ指示部３３ａに対して、例えば中指と薬指との間の付け根部分を接触させることで、水平方向の位置を誘導することができる。そして、中指と薬指とでガイド部材３３を挟むため、誘導された位置から手が動くことを防止することができる。
【００３７】
図８は、第３の実施の形態に係る静脈撮像装置の構造を示す図であって、（Ａ）は利用時の右側面図、（Ｂ）は収納時の上面図である。静脈撮像装置３０は、更に回動部３４を有する。
【００３８】
回動部３４は、例えばガイド部材の端部が支持部材３１に対して水平方向に対して貫通されることで、ガイド部材３３の回動中心軸となる。
ガイド部材３３は、同図の（Ａ）に示すように溝３１ａの縁によって支持される。また、同図の（Ｂ）に示すように、収納時には、ガイド部材３３を静脈撮像装置３０の撮像部３２側に倒して溝３１ａに納めることができる。
【００３９】
図９は、第３の実施の形態に係る静脈撮像装置の利用例を示す模式図である。図９には、静脈撮像装置３０に指を接触させた状態である手３６も示されている。
静脈撮像装置３０は、外部接続コネクタ３５を更に有する。ここで、外部接続コネクタ３５は、図４の外部接続コネクタ１４に対応する。
【００４０】
手３６は、静脈撮像装置３０の撮像部３２側から、その中指と薬指との間の付け根部分が高さ指示部３３ａに接触される。高さ指示部３３ａの高さを撮像部３２が静脈パターンを撮像するために最適な高さとすることで、手３６の高さをこの位置に誘導することができる。また、同時に手３６の水平方向の位置を静脈パターンの撮像に最適な位置に誘導することができる。そして、中指と薬指とでガイド部材３３を挟むため、誘導された位置から手が動くことを防止することができる。
【００４１】
このように、手根部を支持するためのガイド部材を設けないこととし、指を接触するためのガイド部材３３を、撮像部３２とほぼ同程度の設置面積である支持部材３１に装着するようにしたため、静脈撮像装置３０の設置面積が最小限となり省スペース化を図ることができる。また、ガイド部材３３は、回動可能としたため、必要に応じて倒すことが可能である。このため、ガイド部材３３を撮像部３２側に倒して保管することができるので、高さ方向のスペースを必要とせず、収納における省スペース化を図ることができる。
【００４２】
なお、上記の説明において、ガイド部材３３を支持部材３１に回動可能に装着するものとしたが、支持部材３１に挿抜可能に挿設してもよい。このようにすると、支持部材３１とガイド部材３３とを分離して、ガイド部材３３を横にして保管することができるので、高さ方向のスペースを必要とせず、収納における省スペース化を図ることができる。
【００４３】
［第４の実施の形態］
図１０は、第４の実施の形態に係る静脈撮像装置の構造を示す図であって、（Ａ）は利用時の右側面図、（Ｂ）は収納時の右側面図である。静脈撮像装置４０は、第３の実施の形態に示した棒状のガイド部材３３を、伸縮自在としたものである。静脈撮像装置４０は、支持部材４１、撮像部４２およびガイド部材４３を有する。
【００４４】
支持部材４１は、撮像部４２およびガイド部材４３を支持する。支持部材４１は、溝４１ａを有している。溝４１ａは、ガイド部材４３を挿設するための溝である。
撮像部４２は、図１の撮像部１２に対応する。
【００４５】
ガイド部材４３は、伸縮自在の棒状であり、撮像部４２の撮像面の周縁部に立設される。ガイド部材４３は、支持部材４１に挿抜可能に挿設されて、溝４１ａの縁によって撮像部４２による静脈パターンの撮像に最適な角度に支持される。
【００４６】
高さ指示部４３ａは、図７の高さ指示部３３ａに対応する。
ここで、ガイド部材４３は、同図の（Ｂ）に示されるように収納時には、短く縮めることができる。このようにすると、収納のために高さ方向のスペースを必要とせず、収納における省スペース化を図ることができる。なお、ガイド部材４３は挿抜可能であるため、縮めた状態で支持部材４１と分離して保管すると、より効果的である。
【００４７】
図１１は、第４の実施の形態に係る静脈撮像装置の上面図である。図１１に示すように、溝４１ａを静脈撮像装置４０の撮像部４２側から向かって左右に設けることで、ユーザーの好みの位置にガイド部材４３を立設することができる。例えば、左手で認証したい場合や、人差し指と中指との間をガイド部材４３に接触させて認証したい場合には、静脈撮像装置４０の撮像部４２側から向かって左側にガイド部材４３を立設させることができる。
【００４８】
静脈撮像装置４０の利用例に関しては、前述の第３の実施の形態と同様のため、説明を省略する。
このように、手根部を支持するためのガイド部材を設けないこととし、指を接触するためのガイド部材４３を、撮像部４２とほぼ同程度の設置面積である支持部材４１に挿設するようにしたため、静脈撮像装置４０の設置面積が最小限となり省スペース化を図ることができる。また、ガイド部材４３は、挿抜可能としたため、必要に応じて支持部材４１と分離させることができる。このため、ガイド部材４３を横にして保管することができるので、高さ方向のスペースを必要とせず、収納における省スペース化を図ることができる。ここで、ガイド部材４３は伸縮自在であるため、縮めた状態で支持部材４１と分離して保管することもできる。
【００４９】
なお、上記の説明において、ガイド部材４３を支持部材４１に挿抜可能に挿設するものとしたが、ガイド部材４３は、支持部材４１に回動可能に装着されてもよい。このようにしても、ガイド部材４３を縮めて、更に横に倒して保管することができるので、高さ方向のスペースを必要とせず、収納における省スペース化を図ることができる。
【００５０】
以上、説明した実施の形態の主な技術的特徴は、以下の付記の通りである。
（付記１）  掌の静脈パターンを撮像する静脈撮像装置において、
前記静脈パターンを撮像する撮像部と、
前記撮像部の撮像面の周縁部に立設されたガイド部材と、
を有し、
前記ガイド部材は、前記撮像部の撮像面から所定の高さの位置に指が接触されることにより、前記撮像面に対する前記掌の位置を誘導する、
ことを特徴とする静脈撮像装置。
【００５１】
（付記２）  前記ガイド部材は、前記撮像面からの高さ方向に突起し、かつ、前記撮像面と平行な方向に所定間隔だけ離れて配置された１対の突起部を有しており、当該１対の突起部で挟まれる凹部に前記指が前記撮像部側から挿入されて接触されることで、前記撮像面に対する前記掌の水平方向および垂直方向の位置を誘導する、
ことを特徴とする付記１記載の静脈撮像装置。
【００５２】
（付記３）  前記ガイド部材は、板状またはワイヤ状に形成されていることを特徴とする付記２記載の静脈撮像装置。
（付記４）  前記撮像部を支持する支持部材を更に有し、
前記ガイド部材は、前記支持部材に対して、挿抜可能に挿設される、または、回動可能に装着されることを特徴とする付記３記載の静脈撮像装置。
【００５３】
（付記５）  前記撮像部を支持する支持部材を更に有し、
前記ガイド部材は、前記支持部材に回動可能に装着されており、収納する際には、前記撮像面に沿って配置する、
ことを特徴とする付記３記載の静脈撮像装置。
【００５４】
（付記６）  前記撮像部を支持する支持部材を更に有し、
前記ガイド部材は棒状であって、前記指を接触させるための前記位置を示す印を有しており、前記支持部材に挿抜可能に挿設される、または、回動可能に装着されることを特徴とする付記１記載の静脈撮像装置。
【００５５】
（付記７）  前記ガイド部材は、伸縮自在であることを特徴とする付記６記載の静脈撮像装置。
【図面の簡単な説明】
【００５６】
【図１】第１の実施の形態に係る静脈撮像装置の斜視図である。
【図２】第１の実施の形態に係る静脈撮像装置の構造を示す図であって、（Ａ）は利用時の正面図、（Ｂ）は（Ａ）のＡＡ断面図である。
【図３】第１の実施の形態に係る支持部材とガイド部材とを分離した様子を示す図である。
【図４】第１の実施の形態に係る静脈撮像装置の利用例を示す模式図である。
【図５】第２の実施の形態に係る静脈撮像装置の斜視図である。
【図６】第２の実施の形態に係る静脈撮像装置の構造を示す図であって、（Ａ）は利用時の左側面図、（Ｂ）は収納時の上面図である。
【図７】第３の実施の形態に係る静脈撮像装置の斜視図である。
【図８】第３の実施の形態に係る静脈撮像装置の構造を示す図であって、（Ａ）は利用時の右側面図、（Ｂ）は収納時の上面図である。
【図９】第３の実施の形態に係る静脈撮像装置の利用例を示す模式図である。
【図１０】第４の実施の形態に係る静脈撮像装置の構造を示す図であって、（Ａ）は利用時の右側面図、（Ｂ）は収納時の右側面図である。
【図１１】第４の実施の形態に係る静脈撮像装置の上面図である。
【図１２】掌の静脈パターンの撮像に利用されている静脈撮像装置の構成例を示す図である。
【符号の説明】
【００５７】
１１  支持部材
１２  撮像部
１３  ガイド部材
１３ａ  突起部
１３ｂ  指保持部
【図１】
2009189446.tif 000003
【図２】
2009189446.tif 000004
【図３】
2009189446.tif 000005
【図４】
2009189446.tif 000006
【図５】
2009189446.tif 000007
【図６】
2009189446.tif 000008
【図７】
2009189446.tif 000009
【図８】
2009189446.tif 000010
【図９】
2009189446.tif 000011
【図１０】
2009189446.tif 000012
【図１１】
2009189446.tif 000013
【図１２】
2009189446.tif 000014